(57)【要約】【課題】手動及び自動圧力制御可能な靴エアパッドを提供する。【解決手段】本発明の手動及び自動圧力制御可能な靴エアパッドは、靴パッド体と、調節弁とを含み、靴パッド体内部に第１気体室及び第２気体室を設け、第１気体室は、吸気ポートを設け、且つ吸気ポート内に第１不可逆弁を設け、第１、第２気体室の間に連通する第１導気通路を設け、且つ第１導気通路内に第２不可逆弁及び第３不可逆弁を設け、更に放出口を靴パッド体周側に設け、調節弁は、靴パッド体周側に設置され、且つ調節弁は、吸気口及び排気口を設け、吸気口は、第１導気通路に連通する第３導気通路を設け、排気口は、第２気体室内に穿合する第４導気通路を設け、また、第４導気通路に連通するジェット口を設け、このように、靴パッド体内に緩衝効果を備える第１、第２気体室を直接開設することにより、使用者の足部に人体を支持する重量及び地面の緩衝を軽減し、振動を回避し、弾性の増減作用を提供する。【選択図】図１
2014087585.tif 000002
【特許請求の範囲】
【請求項１】
靴パッド体と、調節弁とを含み、そのうち、
該靴パッド体内部後端に中空の第１気体室を設け、前端に中空の第２気体室を設け、該第１気体室は、吸気ポートを設け、且つ該吸気ポート内に外部吸気を該第１気体室内の進入のみさせる第１不可逆弁を設け、また、該第１気体室、該第２気体室の間に２つの気体室を連通する第１導気通路を設け、且つ該第１導気通路内に第２不可逆弁及び第３不可逆弁を設け、更に放出口を該靴パッド体周側に設け、且つ該放出口内に靴パッド体内の空気を排出のみさせる放出弁を設け、該排出弁一端が外部に連通し、他端が該第１導気通路に連通する第２導気通路に接続し、
該調節弁は、該靴パッド体周側に設置され、且つ該調節弁は、吸気口及び排気口を含み、該吸気口は、該第１導気通路に連通する第３導気通路を設け、該排気口は、該第２気体室内に連通穿合する第４導気通路を設け、該靴パッド体上面に該第４導気通路に連通するジェット口を設け、
このように、該靴パッド体内に緩衝効果を備える該第１気体室、該第２気体室を直接開設することにより、使用者の足部に人体を支持する重量及び地面の緩衝を軽減し、振動を回避し、弾性の増減作用を提供する手動及び自動圧力制御可能な靴エアパッド。
【請求項２】
前記第３導気通路は、該第２不可逆弁、該第３不可逆弁間に介し、該第１導気通路を前通路及び後通路に区分けし、該第２不可逆弁は、該後通路内に設けられ、該第３不可逆弁は、該前通路内に設けられる請求項１に記載の手動及び自動圧力制御可能な靴エアパッド。
【請求項３】
前記調節弁は、弁体及び該靴パッド体内の空気圧力を制御するつまみを含み、該弁体は、該靴パッド体内に埋設され、且つ該吸気口及び該排気口は、該弁体上に設置され、該つまみは、該靴パッド体外に露出される請求項１に記載の手動及び自動圧力制御可能な靴エアパッド。
【請求項４】
前記第１気体室内部は、拡張バネを設置し、該拡張バネ中心位置及び該第１気体室の上面、底面が圧縮空間を形成し、該圧縮空間は、該第１気体室内の空気を圧縮した後、該第２気体室及び該ジェット口に伝送する請求項１に記載の手動及び自動圧力制御可能な靴エアパッド。
【請求項５】
前記靴パッド体は、靴の大底、靴の中底又は靴内に設置する靴パッドである請求項１に記載の手動及び自動圧力制御可能な靴エアパッド。
【請求項６】
前記第２気体室内に複数のソフトカバーシートを設け、且つ該ソフトカバーシート上に少なくとも１つの連通孔を開設し、該ソフトカバーシートは、該第２気体室を複数の小気体室に分け隔て、各該小気体室は、該連通孔により相互に連通する請求項１に記載の手動及び自動圧力制御可能な靴エアパッド。
【発明の詳細な説明】
【技術分野】
【０００１】
本発明は、手動及び自動圧力制御可能な靴エアパッドに関し、特に、エアパッド靴の製造コストを低減し、且つエアパッド靴全体の重量を低減する設計に関する。
【背景技術】
【０００２】
靴業の進歩に伴い、エアパッド靴の機能も益々多様になり、中華民国専利公告第Ｍ３７７８８６号「エアパッド靴の改良」を参照すると、それは、内パッド層、中パッド層及び靴底層から構成され、内パッド層に複数の通気孔を設け、底箇所に保護循環通気機能を兼ね備えた靴パッドを設置し、主に人体の自然動力を利用し、靴内の空気を靴底後段から凹溝内の気体室へ駆動し、前端は、空気を靴内へ進入させるよう発散し、靴内の空気を靴口近傍に設置した排気孔から放出するよう導出し、靴内の空気を促し、導気管の気体室排気孔から靴内の空気を導出し、空気を流動させ、靴内を蒸し暑くさせず、足の臭いを排除し、通気循環機能を兼ね備えることができる。
【０００３】
上記「エアパッド靴の改良」は、現在市場でよく見られるエアパッド靴構造であり、足部の衝撃力を緩衝し、更に、震動を回避し、施力を受けることができ、使用者の足部の安全及び快適性を提供するが、科学技術の進歩に伴い、益々多くの製品が何れも軽量化の設計を趣向とするようになっているが、この技術は、靴底層上において、凹溝及び溝槽を凹設し、且つ更に気体室及び動気管をその内に設置し、靴全他の重量を増加させ、長時間の走行時に足部の筋肉が比較的大きな重量を受けて筋肉痛を招き、且つ気体室及び導気管を設けるエアパッド靴の製造コストは、一般の靴類よりも高くなっている。故に、「エアパッド靴の改良」は、一般大衆の要求に適用するように更に改良する必要がある。
【先行技術文献】
【特許文献】
【０００４】
【特許文献１】中華民国専利公告第Ｍ３７７８８６号公報
【発明の概要】
【発明が解決しようとする課題】
【０００５】
本発明の目的は、エアパッド靴全体の重量を軽減し、且つ製造上のコストを低減し、良好な緩衝、振動回避、弾性効果を維持する手動及び自動圧力制御可能な靴エアパッドを提供することである。
【課題を解決するための手段】
【０００６】
上記の目的及び効果を達成する為、本発明の手動及び自動圧力制御可能な靴エアパッドは、靴パッド体と、調節弁とを含み、そのうち、
該靴パッド体内部後端に中空の第１気体室を設け、前端に中空の第２気体室を設け、該第１気体室は、吸気ポートを設け、且つ該吸気ポート内に外部吸気を該第１気体室内の進入のみさせる第１不可逆弁を設け、また、該第１気体室、該第２気体室の間に２つの気体室を連通する第１導気通路を設け、且つ該第１導気通路内に第２不可逆弁及び第３不可逆弁を設け、更に放出口を靴パッド体周側に設け、且つ該放出口内に靴パッド体内の空気を排出のみさせる放出弁を設け、該排出弁一端が外部に連通し、他端が該第１導気通路に連通する第２導気通路に接続し、
該調節弁は、該靴パッド体周側に設置され、且つ該調節弁は、吸気口及び排気口を含み、該吸気口は、該第１導気通路に連通する第３導気通路を設け、該排気口は、該第２気体室内に穿合する第４導気通路を設け、該靴パッド体上面に該第４導気通路に連通するジェット口を設け、
このように、該靴パッド体内に緩衝効果を備える該第１気体室、該第２気体室を直接開設することにより、使用者の足部に人体を支持する重量及び地面の緩衝を軽減し、振動を回避し、弾性の増減作用を提供する。
【０００７】
本発明の手動及び自動圧力制御可能な靴エアパッドは、更に以下の技術特徴を含む：
該第３導気通路は、該第２不可逆弁間、該第３不可逆弁間に介し、該第１導気通路を前通路及び後通路に区分けし、該第２不可逆弁は、該後通路内に設けられ、該第３不可逆弁は、該前通路内に設けられる。
該調節弁は、弁体及び該靴パッド体内の空気圧力を制御するつまみを含み、該弁体は、該靴パッド体内に埋設され、且つ該吸気口及び該排気口は、該弁体上に設置され、該つまみは、該靴パッド体外に露出される。
該第１気体室内部は、拡張バネを設置し、該拡張バネ中心位置及び該第１気体室の上面、底面が圧縮空間を形成し、該圧縮空間は、該第１気体室内の空気を圧縮した後、該第２気体室及び該ジェット口に伝送する。
該靴パッド体は、靴の大底、靴の中底又は靴内に設置する靴パッドである。
該第２気体室内に複数のソフトカバーシートを設け、且つ該ソフトカバーシート上に少なくとも１つの連通孔を開設し、該ソフトカバーシートは、該第２気体室を複数の小気体室に分け隔て、各該小気体室は、該連通孔により相互に連通する。
【発明の効果】
【０００８】
上記は、手動及び自動圧力制御可能な靴エアパッドにより、下記効果を達成する：
一、使用者が該第１気体室、該第２気体室の該靴パッド体を着用する時、足部が受ける人体の受ける人体の重量の負担を軽減でき、該靴パッド体の中空設計は、元の緩衝性能に影響を及ぼさず、且つ足部を保護する効果を維持する。
二、該第１気体室、該第２気体室及び各導気通路を該靴パッド体内において、中空方式で設計し、靴全体の重量を軽減する以外に、製造コストの低減を達成し、大量生産に便利である。
【図面の簡単な説明】
【０００９】
【図１】本発明の靴パッド体立体説明図である。
【図２】本発明の図１のＡＡ線の断面説明図である。
【図３】本発明の靴パッド体の第１気体室の受圧断面説明図である。
【図４】本発明の第１気体室の空気を第２気体室へ伝導する動作説明図である。
【図５】本発明の靴パッド体内の空気が調節弁の設置する範囲を超過する時、空気が第４エアチャネルから排出される動作説明図である。第１気体室の空気を第２気体室へ伝導する動作説明図である。
【図６】本発明の靴パッド体内の空気が放出弁から完全に排出される動作説明図である。
【図７】本発明のもう１つの実施例の立体説明図である。
【発明を実施するための形態】
【００１０】
エアパッド靴全体の重量の軽減を達成し、且つ製造上コストを低減可能にし、大衆の着用に適合させる為、本発明は、手動及び自動圧力制御の靴エアパッドに関し、その効果及び利点について、以下に各関連図面を合わせて簡単な実施例の説明を行う。
【００１１】
図１から図３に示すように、それは、靴パッド体１及び調節弁２を含み、そのうち、該靴パッド体内部後端に中空の第１気体室１１を設け、前端に中空の第２気体室１２を設け、該第１気体室１１は、吸気ポート１１１を設け、且つ且つ該吸気ポート１１１内に外部吸気を該第１気体室１１内の進入のみさせる第１不可逆弁１１２を設け、また、該第１気体室１１、該第２気体室１２の間に２つの気体室を連通する第１導気通路１３を設け、且つ該第１導気通路１３内に第２不可逆弁１３１及び第３不可逆弁１３２を設け、更に放出口１４を靴パッド体１周側に設け、且つ該放出口１４内に靴パッド体１内の空気を排出のみさせる放出弁１４１を設け、該排出弁１４１一端が外部に連通し、他端が該第１導気通路１３に連通する第２導気通路１５に接続し、
該調節弁２は、該靴パッド体１周側に設置され、且つ該調節弁２は、吸気口２１及び排気口２２を含み、該吸気口２１は、該第１導気通路１３を連通する第３導気通路１６を設け、該排気口２２は、該第２気体室１２内に穿合する第４導気通路１７を設け、該靴パッド体１上面に該第４導気通路１７に連通するジェット口１８を設け、
このように、該靴パッド体内に緩衝効果を備える該第１気体室１１、該第２気体室１２を直接開設することにより、使用者の足部に人体を支持する重量及び地面の緩衝を軽減し、振動を回避し、弾性の増減作用を提供する。
【００１２】
上記靴パッド体１内の各導気通路及び各気体室の接続関係に基づき、本発明は、該靴パッド体１内部の吸気流動方式は、２種の状態を有し、１つは、該調節弁２を最大気圧値に調整し、足部が任意の作動（ウォーキング、跳躍又はジョギング）を行う時、空気が自動で該靴パッド体１内に流通でき、もう１つは、手部を利用し、該調節弁２を調整し、該靴パッド体１内の気圧値を該調節弁２が制限する範囲に制限し、単独で足部に対し、某特定の動作時に有する緩衝、振動回避及び弾性の効果を達成し、該靴パッド体１内部の空気の自動方式の流動を以下に説明する。
【００１３】
先ず、図３、図４に示すように、使用者は、該靴パッド体１を装着して走行する時、足部の踵及び爪先が交替で該第１気体室１１及び該第２気体室１２に対し、押下する力を施し、空気を該靴パッド体１内に充填し、余計な空気を排出し、循環交替の効果を達成し、踵が該第１気体室１１に対し、間歇的に圧迫押下を持続する時、該第１気体室１１は、該吸気ポート１１１内の該第１不可逆弁１１２を介し、外部の吸気を取り込み、空気を該第１気体室１１内に充填した後、該第１導気通路１３の連結を経て該第２気体室１２内に伝導し、身体の重量が足部の動作時に地面にもたらす力量を緩衝し、更に足部の安全性を保護する。
【００１４】
図５に示すように、該第２気体室１２内の空気飽和が該調節弁２の設定する通過可能な気圧値に至る時、該第１気体室１１に対し、観血的な圧迫押下が発生する気体充填効果を持続的に行う場合、該調節弁２の吸気口２１を経由して該調節弁２に進入するよう変更し、該第４導気通路１７から該ジェット口１８へ噴出し、該第１気体室１１及び該第２気体室１２内の気圧値を該調節弁２の設定する気圧範囲に維持させ、該吸気ポート１１１の吸気及び該ジェット口１８の排気により、足部が動作を行う時、該靴パッド体１に足部の動作時の緩衝振動回避効果を提供するよう維持することができる。
【００１５】
手動制御方面において、該第２気体室１２内の柔軟性を向上させる場合、ただ手動方式で該調節弁２を操作し、該吸気ポート１１１及び該ジェット口１８の間の空気通路が必要とする気圧値を設定し、足部の歩く動きの圧迫方式を利用し、該靴パッド体１内に気体を充填するだけでよく、このように、該靴パッド体１が足部に対し、単一性の動作を行う時、精確な緩衝効果を有し、該第２導気通路１５一端が該放出弁１４１に接続し、他端が該第１導気通路１３に接続し、且つ該第３不可逆弁１３２前端に位置し、また、該第２導気通路１５及び該第４導気通路１７は、上下交錯してブリッジ設置され、これにより、該第２気体室１２内の空気を該放出弁１４１から迅速に排出し、該第１気体室１１が再度空気を充填可能にし、該靴パッド体１に好適な緩衝震動回避効果を維持させ、更に足部が身体のもたらす重量を支持できるようにし、図６に示すとおりである。
【００１６】
しかしながら、上記靴パッド体１内部の空気が自動及び手動方式で流動することについて、内部の各導気通路の連通、及び該調節弁２の構造設置を詳細に説明する：
1.該第３導気通路１６は、第２不可逆弁１３１及び第３不可逆弁１３２の間に介し、且つ該第３導気通路１６は、該第１導気通路１３を前通路１３３及び後通路１３４に区分けし、該第２不可逆弁１３１は、該後通路１３４内に設けられ、該第３不可逆弁１３２は、該前通路１３３内に設けられ、空気は、該第１気体室１１から該第１導気通路１３の後通路１３４へ流入後、該第３導気通路１６及び該前通路１３３の集合箇所を経て、空気を該調節弁２が設定する気圧値に基づき、流通が必要な流路へ流入し、且つ該前通路１３３内の第３不可逆弁１３２は、該第２気体室１２内部空気の該第１導気通路１３を経た回流を制限でき、図４及び図５に示すようである。
2．更に言えば、該靴パッド体１のコアは、該調節弁２を過ぎることがなく、該調節弁２は、該靴パッド体１内の全体の気圧値を制御し、使用者の足部に身体の重量を維持させ、地面との緩衝震動を回避する効果を提供し、該調節弁２は、弁体２３及びつまみ２４を含み、該弁体２３は、該靴パッド体１内に埋設し、且つ該吸気口２１及び該排気口２２は、何れも該弁体２３上に設置され、また、該つまみ２４は、該弁体２３の一端に設置され、且つ該つまみ２４は、該靴パッド体１外に露出し、使用者が迅速かつ簡易に動作できるようにし、該つまみ２４の回転を介し、該弁体２３内の空気が流入する気圧値を自由に調整し、使用者が足部の異なる動作（ウォーキング、ジョギング又はステップ）において、最適な弾性及び震動回避効果を有することができるようにし、図１に示すようである（該調節弁２により気圧値の設定を制御することは、公知技術の範疇に属し、本発明は、たが該調節弁２の応用に対してのみ開示を行い、該調節弁２の構造部分の技術は、ここでは、更に記載しない）。
3.該第４導気通路１７内に第４不可逆弁１７１を更に設け、該第４不可逆弁１７１は、外部空気が該ジェット口１８から該靴パッド体１内に進入することを回避することに用いられ、該第１気体室１１、第２気体室１２内の気圧が該調節弁２の設定する範囲を平衡維持することができないようにし、図１に示すようである。
【００１７】
前記各導気通路及び各気体室の接続関係に基づき、該第１気体室１１内に拡張バネ１９を設け、該拡張バネ１９一端は、該第１気体室１１の上端に弾性係止し、他端が該第１気体室１１の底端に弾性係止し、該拡張バネ１９中心位置及び該第１気体室１１の上底両端に圧縮空間１９１を形成し、使用者の踵が該第１気体室１１の位置に向けて押下し、該第１気体室１１を押下する力が消失した後、該第１気体室１１は、該拡張バネ１９の弾性蓄積力により未圧縮の状態まで迅速に回復し、該圧縮空間１９１は、足部の該第１気体室１１に対する押圧と開放の交互の循環動作により、該第１気体室１１を外部の空気を内部へ充填し、該第２気体室１２から空気の伝送、及び該ジェット口１８から空気の排出を継続し、該靴パッド体１が自動車の安全エアバッグのように、最適な緩衝効果を有し、足部が回復力により損傷することを回避し、また、該拡張バネ１９の設置により、使用者がジョギング、跳躍等の比較的大きな動作を行う時、該靴パッド体１が適度な弾性を足部に与え、使用者を高く跳ねさせ、安定して走らせ、図２及び図３に示すようであり、図１を補助の説明とする。
【００１８】
図２に示すように、本発明の該靴パッド体１は、靴大底、靴中底又は靴内に装着する靴パッドである（本発明は、靴大底を例に説明するが、本発明が靴中底又は靴パッドに位置する設置形態は、靴大底と同一であり、ここでは、詳細を記載しない）。
【００１９】
提示すべきこととして、本発明は、該第２気体室１２が気体充填を完成後、該第１気体室１１及び該第２気体室１２両者の内部の気圧値が何れも気圧が該調節弁２の設定の影響を受けて一致し、該第２気体室１２により気体充填を完成後、続いて該第１気体室１１に対し加圧された空気は、何れも該調節弁２の排気口２２から該ジェット口１８へ排出され、該第１気体室１１に気体充填を停止させ、該第２気体室１２内の余計な空気が排出するようにし、気圧値一致の効果を呈現させる。
【００２０】
図７に示すように、本発明のもう１種の実施形態は、該第２気体室１２内に複数のソフトカバーシート３を設け、該複数のソフトカバーシート３が該第２気体室１２をそれぞれ複数の小気体室１２１に分け隔て、且つ各該ソフトカバーシート３上に少なくとも１つの連通孔３１を開設し、各該小気体室１２１が該連通孔３１の設置により、空気が各該小気体室１２１内に流通できるようにし、更に該靴パッド体１に足部の地面に対する緩衝力を増加できるようにする。
【００２１】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００２２】
１  靴パッド体
１１  第１気体室
１１１  吸気ポート
１１２  第１不可逆弁
１２  第２気体室
１２１  小気体室
１３  第１導気通路チャネル
１３１  第２不可逆弁
１３２  第３不可逆弁
１３３  前チャネル
１３４  後チャネル
１４  放出口
１４１  放出弁
１５  第２導気通路チャネル
１６  第３導気通路チャネル
１７  第４導気通路チャネル
１７１  第４不可逆弁
１８  ジェット口
１９  拡張バネ
１９１  圧縮空間
２  調節弁
２１  吸気口
２２  排気口
２３  弁体
２４  つまみ
３  ソフトカバーシート
３１  連通孔
【図１】
2014087585.tif 000003
【図２】
2014087585.tif 000004
【図３】
2014087585.tif 000005
【図４】
2014087585.tif 000006
【図５】
2014087585.tif 000007
【図６】
2014087585.tif 000008
【図７】
2014087585.tif 000009